(57)【要約】【課題】全般照明用光源の光出力を最大出力からゼロ出力に切り替え、且つ局所照明ユニットの光出力を最大出力から所望の調光出力に切り替えるための操作を容易にする。【解決手段】照明装置は、照明器具１と、調光スイッチ２１付き操作ユニット２とを持つ。照明器具１は、局所照明ユニット１２、全般照明ユニット１３及び制御部２０を含む。制御部２０は、照明器具１の光出力を下げるための操作入力が調光スイッチ２１から得られたとき、全般照明ユニット１３の光出力が最大出力より低いしきい出力より高ければ、局所照明ユニット１２の光出力を最大出力に保ちながら全般照明ユニット１３の光出力を下げ、また全般照明ユニット１３の光出力がしきい出力と等しいかそれより低ければ、少なくとも局所照明ユニット１２の光出力を下げる。【選択図】図１
2011171071.tif 000002
【特許請求の範囲】
【請求項１】
照明器具と、該照明器具を操作するための操作ユニットとを備える照明装置であって、
該操作ユニットは調光スイッチを備える一方、
該照明器具は、
本体と、
調光機能を有し、該本体の中央部に配置される局所照明ユニットと、
調光機能を有し、該局所照明ユニットを囲むように該本体に配置される全般照明ユニットと、
該調光スイッチから得られる操作入力に応じて、該局所照明ユニット及び該全般照明ユニットの各光出力を制御するように構成される制御部と
を備え、
該制御部は、該照明器具の光出力を下げるための操作入力が該調光スイッチから得られたとき、
(Ａ)該全般照明ユニットの光出力が、最大出力より低いしきい出力より高ければ、該局所照明ユニットの光出力を最大出力に保ちながら該全般照明ユニットの光出力を下げ、また
(Ｂ)該全般照明ユニットの光出力が該しきい出力と等しいかそれより低ければ、少なくとも該局所照明ユニットの光出力を下げる
ように構成される
ことを特徴とする照明装置。
【請求項２】
該局所照明ユニット及び該全般照明ユニットの各最大出力は、定格出力であり、
前記しきい出力は、ゼロ出力であり、
該制御部は、該照明器具の光出力を下げるための操作入力が該調光スイッチから得られたとき、該全般照明ユニットの光出力が該しきい出力と等しければ、該全般照明ユニットの光出力をゼロ出力に保ちながら、該局所照明ユニットの光出力を下げるように構成される
ことを特徴とする請求項１記載の照明装置。
【請求項３】
該局所照明ユニット及び該全般照明ユニットの各最大出力は、定格出力であり、
前記しきい出力は、該全般照明ユニットの最大出力より低くゼロ出力より高い中間出力であり、
該制御部は、該照明器具の光出力を下げるための操作入力が該調光スイッチから得られたとき、
(B1)該全般照明ユニットの光出力が該中間出力より低くゼロ出力より高ければ、該局所照明ユニット及び該全般照明ユニットの各光出力を下げ、また
(B2)該全般照明ユニットの光出力が該ゼロ出力と等しければ、該全般照明ユニットの光出力をゼロ出力に保ちながら該局所照明ユニットの光出力を下げる
ように構成される
ことを特徴とする請求項１記載の照明装置。
【請求項４】
該局所照明ユニット及び該全般照明ユニットの各々は、複数の発光ダイオードから構成されることを特徴とする請求項１から３の何れか１項に記載の照明装置。
【請求項５】
該操作ユニットは、該調光スイッチを構成するアップスイッチ及びダウンスイッチを備える赤外線リモートコントロールユニットであり、
該赤外線リモートコントロールユニットは、
該アップスイッチが押されている間、該アップスイッチに対応するコードを所定時間間隔で繰り返し赤外線信号によって送信し、
該ダウンスイッチが押されている間、該ダウンスイッチに対応するコードを所定時間間隔で繰り返し赤外線信号によって送信する
ように構成され、
該照明器具は、該赤外線信号を受信して該アップスイッチ又は該ダウンスイッチに対応するコードを取得し、そのコードを該制御部に供給するように構成される受信部を備える
ことを特徴とする請求項１から４の何れか１項に記載の照明装置。
【発明の詳細な説明】
【技術分野】
【０００１】
本発明は一般に照明装置、より詳細には局所照明ユニットと、この局所照明ユニットを囲むように配置される全般照明ユニットとを備える照明装置に関するものである。
【背景技術】
【０００２】
この種の照明装置は、例えば特許文献１に開示されている。この文献に記載された照明器具は、局所照明用光源、間接照明光源及び全般照明用光源の全てを有する。この照明器具を例えばリビングや娯楽室などに設置すれば、室内を暗くして映画を見るときにリモートコントロールユニットなどが置かれたソファテーブルを局所照明用光源のみで照明することができる。
【先行技術文献】
【特許文献】
【０００３】
【特許文献１】特開平４−２０６３０３号公報
【発明の概要】
【発明が解決しようとする課題】
【０００４】
しかしながら、上記照明器具では、全般照明用光源の光出力を最大出力からゼロ出力に切り替え、局所照明用光源の光出力を最大出力から所望の調光出力に切り替えるとき、使用者は、全般照明用光源及び局所照明用光源の両スイッチをそれぞれ操作する必要があった。
【０００５】
本発明は、上記事情に鑑みてなされたものであり、全般照明用光源の光出力を最大出力からゼロ出力に切り替え、且つ局所照明ユニットの光出力を最大出力から所望の調光出力に切り替えるための操作を容易にすることを目的とする。
【課題を解決するための手段】
【０００６】
上記課題を解決するための本発明は、照明器具と、該照明器具を操作するための操作ユニットとを備える照明装置である。該操作ユニットは調光スイッチを備える。該照明器具は、本体、局所照明ユニット、全般照明ユニット及び制御部を備える。該局所照明ユニットは、調光機能を有し、該本体の中央部に配置される。該全般照明ユニットは、調光機能を有し、該局所照明ユニットを囲むように該本体に配置される。該制御部は、該調光スイッチから得られる操作入力に応じて、該局所照明ユニット及び該全般照明ユニットの各光出力を制御するように構成される。本発明の特徴において、該制御部は、該照明器具の光出力を下げるための操作入力が該調光スイッチから得られたとき、(Ａ)該全般照明ユニットの光出力が、最大出力より低いしきい出力より高ければ、該局所照明ユニットの光出力を最大出力に保ちながら該全般照明ユニットの光出力を下げ、また(Ｂ)該全般照明ユニットの光出力が該しきい出力と等しいかそれより低ければ、少なくとも該局所照明ユニットの光出力を下げるように構成される。
【０００７】
一実施形態において、該局所照明ユニット及び該全般照明ユニットの各最大出力は、定格出力であり、前記しきい出力は、ゼロ出力である。また、該制御部は、該照明器具の光出力を下げるための操作入力が該調光スイッチから得られたとき、該全般照明ユニットの光出力が該しきい出力と等しければ、該全般照明ユニットの光出力をゼロ出力に保ちながら、該局所照明ユニットの光出力を下げるように構成される。
【０００８】
一実施形態において、該局所照明ユニット及び該全般照明ユニットの各最大出力は、定格出力であり、前記しきい出力は、該全般照明ユニットの最大出力より低くゼロ出力より高い中間出力である。加えて、該制御部は、該照明器具の光出力を下げるための操作入力が該調光スイッチから得られたとき、(B1)該全般照明ユニットの光出力が該中間出力より低くゼロ出力より高ければ、該局所照明ユニット及び該全般照明ユニットの各光出力を下げ、また(B2)該全般照明ユニットの光出力が該ゼロ出力と等しければ、該全般照明ユニットの光出力をゼロ出力に保ちながら該局所照明ユニットの光出力を下げるように構成される。
【０００９】
一実施形態において、該局所照明ユニット及び該全般照明ユニットの各々は、複数の発光ダイオードから構成される。
【００１０】
一実施形態において、該操作ユニットは、該調光スイッチを構成するアップスイッチ及びダウンスイッチを備える赤外線リモートコントロールユニットである。また、該赤外線リモートコントロールユニットは、該アップスイッチが押されている間、該アップスイッチに対応するコードを所定時間間隔で繰り返し赤外線信号によって送信し、該ダウンスイッチが押されている間、該ダウンスイッチに対応するコードを所定時間間隔で繰り返し赤外線信号によって送信するように構成される。一方、該照明器具は、該赤外線信号を受信して該アップスイッチ又は該ダウンスイッチに対応するコードを取得し、そのコードを該制御部に供給するように構成される受信部を備える。
【発明の効果】
【００１１】
本発明によれば、全般照明用光源の光出力を最大出力からゼロ出力に切り替え、且つ局所照明ユニットの光出力を最大出力から所望の調光出力に切り替えるための操作を容易にすることができる。
【００１２】
また、通常の調光可能な照明器具の出力を下げると、最大出力時の直下と周囲床面の照度分布の比率を維持しながら平均照度が低下するのに対し、本発明は調光に連動して直下と周囲床面の照度分布が変化し、部屋中央部（直下）の照度を確保しながら平均照度が下がることにより、作業性を維持した調光が可能となる。
【図面の簡単な説明】
【００１３】
【図１】本発明の一実施形態による照明装置のブロック図である。
【図２】該照明装置の照明器具の概要図である。
【図３】該照明装置の動作説明図である。
【図４】該照明装置の動作説明図であり、図４Ａ、４Ｂ及び４Ｃは、それぞれ図３のＡ点、Ｂ点及びＣ点に対応する模式図である。
【図５】該照明器具の動作フロー図である。
【発明を実施するための形態】
【００１４】
図１は本発明の一実施形態による照明装置のブロック図である。本照明装置は、例えば天井に設置される照明器具１と、照明器具１を操作するための操作ユニット２とを有し、また、しきい出力を設定するための設定手段（図示しない）を有する。本実施形態では、該設定手段は、アップスイッチ及びダウンスイッチから構成され、操作ユニット２に設けられる。なお、これに限らず、該設定手段は、照明器具１に設けられて、後述の制御部２０に接続されるディップスイッチなどでもよい。
【００１５】
操作ユニット２は、例えば赤外線リモートコントロールユニットであり、上記設定手段及び調光スイッチ２１などの各種スイッチと、送信部２４と、制御部２０とを含む。調光スイッチ２１は、アップスイッチ２２及びダウンスイッチ２３から構成される。送信部２４は、発光ダイオードなどの発光素子を含み、制御部２０の制御下で、種々のコードを赤外線信号によって送信するように構成される。
【００１６】
制御部２０は、例えばマイクロコンピュータを含み、上記各種スイッチの何れかが押されたとき、対応するコード（又はコマンド）を、送信部２４を通じて赤外線信号によって送信するように構成される。
【００１７】
本実施形態では、制御部２０は、アップスイッチ２２が押されている間、送信部２４を通じて、アップスイッチ２２に対応するコードを所定時間間隔で繰り返し赤外線信号によって送信するように構成される。また、制御部２０は、ダウンスイッチ２３が押されている間、送信部２４を通じて、ダウンスイッチ２３に対応するコードを所定時間間隔で繰り返し赤外線信号によって送信するように構成される。また、制御部２０は、該設定手段から得られる各コードを赤外線信号によって送信する。
【００１８】
図１及び２に示すように、照明器具１は、本体１１と、局所照明ユニット１２と、全般照明ユニット１３と、ドライバ１４と、ドライバ１５、受信部１６と、制御部１０とを含む。
【００１９】
本体１１は、ベース及びカバーを含み、該ベースは天井に固定される。図２の例では、本体１１は、平面視において四角形状であるが、本発明の本体は、平面視において、四角形状に限らず、円形などの他の形状でもよい。
【００２０】
局所照明ユニット１２は、本体１１の中央部に配置される複数の発光ダイオードから構成される。全般照明ユニット１３は、局所照明ユニット１２を囲むように本体１１に配置される複数の発光ダイオードから構成される。本実施形態では、局所照明ユニット１２及び全般照明ユニット１３の各々は、複数の発光ダイオードから構成されるので、調光機能を持つ。
【００２１】
ドライバ１４は、制御部１０の制御下で、局所照明ユニット１２の光出力を調整するように構成される。ドライバ１５は、制御部１０の制御下で、全般照明ユニット１３の光出力を調整するように構成される。
【００２２】
受信部１６は、受光素子を含み、操作ユニット２からの赤外線信号を受信してコードを取得し、そのコードを制御部１０に供給するように構成される。例えば、受信部１６は、アップスイッチ２２に対応するコードを受信する毎にそのコードを制御部１０に供給し、またダウンスイッチ２３に対応するコードを受信する毎にそのコードを制御部１０に供給するように構成される。
【００２３】
制御部１０は、例えばマイクロコンピュータを含み、壁面に埋め込まれた対応する電源スイッチがオン及びオフされると、それぞれ照明器具１をオン及びオフするように構成される。一例において、制御部１０は、照明器具１をオンするとき、ドライバ１４及び１５を通じて、局所照明ユニット１２及び全般照明ユニット１３の両光出力をそれぞれ前のオン状態の光出力に再設定するように構成される。このため、制御部１０は、照明器具１の光出力を変更する度に、局所照明ユニット１２及び全般照明ユニット１３の光出力の両制御状態を記憶するように構成される。例えば、照明器具１は不揮発性メモリを含み、該制御状態を表すデータは該不揮発性メモリに記憶される。
【００２４】
また、制御部１０は、操作ユニット２（例えば調光スイッチ２１等）から得られる操作入力、即ち受信部１６からのコードに応じて、局所照明ユニット１２及び全般照明ユニット１３の各光出力を制御するように構成される。
【００２５】
本実施形態では、図３及び４に示すように、制御部１０は、最大出力（例えば、定格出力）より低いしきい出力に基づいて動作するように構成される。即ち、制御部１０は、照明器具１の光出力を下げるための操作入力が調光スイッチ２１から得られたとき、全般照明ユニット１３の光出力がしきい出力より高ければ、局所照明ユニット１２の光出力を最大出力に保ちながら全般照明ユニット１３の光出力を下げるように構成される。詳しくは、制御部１０は、ダウンスイッチ２３に対応するコードが受信部１６から得られたとき、該光出力がしきい出力より高ければ、ドライバ１４を通じて局所照明ユニット１２の光出力を最大出力に保ちながら、ドライバ１５を通じて全般照明ユニット１３の光出力を下げる。この場合、全般照明ユニット１３の光出力は、ダウンスイッチ２３に対応するコードが得られる度に、ゼロ出力に等しくなるまで予め決められた減少量（以下「第１減少量」という）だけ低減される。
【００２６】
また、制御部１０は、照明器具１の光出力を下げるための操作入力が調光スイッチ２１から得られたとき、全般照明ユニット１３の光出力がしきい出力と等しいかそれより低ければ、少なくとも局所照明ユニット１２の光出力を下げるように構成される。詳しくは、制御部１０は、ダウンスイッチ２３に対応するコードが受信部１６から得られたとき、全般照明ユニット１３の光出力がしきい出力と等しいかそれより低ければ、少なくとも、ドライバ１４を通じて局所照明ユニット１２の光出力を下げる。この場合、局所照明ユニット１２の光出力は、ダウンスイッチ２３に対応するコードが得られる度に、ゼロ出力に等しくなるまで予め決められた減少量（以下「第２減少量」という）だけ低減される。第２減少量は第１減少量と同じでも異なってもよい。
【００２７】
このように全般照明ユニット１３の光出力がしきい出力と等しいかそれより低いとき、制御部１０は、しきい出力の値に応じて局所照明ユニット１２及び全般照明ユニット１３の各光出力を適応的に調整するように構成される。
【００２８】
先ず、しきい出力が図３の波線のようにゼロ出力である場合について説明する。制御部１０は、照明器具１の光出力を下げるための操作入力が調光スイッチ２１から得られたとき、全般照明ユニット１３の光出力がしきい出力と等しければ、全般照明ユニット１３の光出力をゼロ出力に保ちながら、局所照明ユニット１２の光出力を下げるように構成される。詳しくは、制御部１０は、ダウンスイッチ２３に対応するコードが受信部１６から得られたとき、該光出力がしきい出力と等しければ、ドライバ１５を通じて全般照明ユニット１３の光出力をゼロ出力に保ちながら、ドライバ１４を通じて局所照明ユニット１２の光出力を下げる。この場合、局所照明ユニット１２の光出力は、ダウンスイッチ２３に対応するコードが得られる度に、ゼロ出力に等しくなるまで第２減少量だけ低減される。
【００２９】
次に、しきい出力が図３の実線のように全般照明ユニット１３の最大出力より低くゼロ出力より高い中間出力である場合について説明する。制御部１０は、照明器具１の光出力を下げるための操作入力が調光スイッチ２１から得られたとき、全般照明ユニット１３の光出力が中間出力より低くゼロ出力より高ければ、局所照明ユニット１２及び全般照明ユニット１３の各光出力を下げるように構成される。詳しくは、制御部１０は、ダウンスイッチ２３に対応するコードが受信部１６から得られたとき、全般照明ユニット１３の光出力が中間出力より低くゼロ出力より高ければ、ドライバ１４及び１５を通じて局所照明ユニット１２及び全般照明ユニット１３の光出力をそれぞれ下げる。この場合、局所照明ユニット１２の光出力は、ダウンスイッチ２３に対応するコードが得られる度に第２減少量だけ低減される。また、全般照明ユニット１３の光出力は、ダウンスイッチ２３に対応するコードが得られる度に、ゼロ出力に等しくなるまで第１減少量だけ低減される。
【００３０】
また、制御部１０は、照明器具１の光出力を下げるための操作入力が調光スイッチ２１から得られたとき、全般照明ユニット１３の光出力がゼロ出力と等しければ、全般照明ユニット１３の光出力をゼロ出力に保ちながら局所照明ユニット１２の光出力を下げるように構成される。詳しくは、制御部１０は、ダウンスイッチ２３に対応するコードが受信部１６から得られたとき、全般照明ユニット１３の光出力がゼロ出力と等しければ、ドライバ１５を通じて全般照明ユニット１３の光出力をゼロ出力に保ちながら、ドライバ１４を通じて局所照明ユニット１２の光出力を下げる。この場合、局所照明ユニット１２の光出力は、ダウンスイッチ２３に対応するコードが得られる度に、ゼロ出力に等しくなるまで第２減少量だけ低減される。
【００３１】
上記しきい出力は、図３の実線に示すように、全般照明ユニット１３の最大出力より低くゼロ出力より高い中間出力に予め設定されているが、しきい出力は、上記設定手段により変更することができる。
【００３２】
このため、制御部１０は、該しきい出力を下げるための操作入力が操作ユニット２から得られれば、該しきい出力から予め決められた減少量を引いてしきい出力を更新し、全般照明ユニット１３の光出力をその更新されたしきい出力に設定するように構成される。詳しくは、該設定手段のダウンスイッチに対応するコードが受信部１６から得られれば、制御部１０は、該しきい出力から予め決められた減少量を引いてしきい出力を更新し、更新したしきい出力を上記不揮発性メモリに記憶する。続いて、制御部１０は、ドライバ１５を通じて、全般照明ユニット１３の光出力を、その更新されたしきい出力に設定する。
【００３３】
また、制御部１０は、しきい出力を上げるための操作入力が操作ユニット２から得られれば、予め決められた増加量を該しきい出力に加えてしきい出力を更新し、全般照明ユニット１３の光出力をその更新されたしきい出力に設定するように構成される。詳しくは、該設定手段のアップスイッチに対応するコードが受信部１６から得られれば、制御部１０は、予め決められた増加量を該しきい出力に加えてしきい出力を更新し、更新したしきい出力を上記不揮発性メモリに記憶する。続いて、制御部１０は、ドライバ１５を通じて、全般照明ユニット１３の光出力を、その更新されたしきい出力に設定する。
【００３４】
更に、制御部１０は、照明器具１の光出力を上げるための操作入力が調光スイッチ２１から得られたとき、全般照明ユニット１３の光出力がしきい出力より高ければ、局所照明ユニット１２の光出力を最大出力に保ちながら全般照明ユニット１３の光出力を上げるように構成される。全般照明ユニット１３の光出力は、アップスイッチ２２に対応するコードが得られる度に、最大出力に等しくなるまで第１増加量だけ増大される。
【００３５】
また、制御部１０は、照明器具１の光出力を上げるための操作入力が調光スイッチ２１から得られたとき、全般照明ユニット１３の光出力がしきい出力と等しいかそれより低ければ、少なくとも局所照明ユニット１２の光出力を上げるように構成される。局所照明ユニット１２の光出力は、アップスイッチ２２に対応するコードが得られる度に、最大出力に等しくなるまで第２増加量だけ増大される。
【００３６】
後者について詳述する。しきい出力がゼロ出力であるとき、制御部１０は、全般照明ユニット１３の光出力がしきい出力と等しければ、全般照明ユニット１３の光出力をゼロ出力に保ちながら、局所照明ユニット１２の光出力を上げるように構成される。
【００３７】
しきい出力が中間出力であるとき、制御部１０は、全般照明ユニット１３の光出力が中間出力より低くゼロ出力より高ければ、局所照明ユニット１２及び全般照明ユニット１３の各光出力を上げるように構成される。また、制御部１０は、全般照明ユニット１３の光出力がゼロ出力と等しければ、全般照明ユニット１３の光出力をゼロ出力に保ちながら局所照明ユニット１２の光出力を上げるように構成される。
【００３８】
次に本照明装置の特徴的な動作、即ちダウンスイッチ２３が押されたときのサブルーチンについて説明する。図５に示すように、ダウンスイッチ２３が押されたとき、サブルーチンを実行する制御部１０は、ステップ１００に進み、全般照明ユニット１３の光出力がしきい出力より高いかを決定する。全般照明ユニット１３の光出力がしきい出力より高ければ、制御部１０は、ステップ１０１に進み、局所照明ユニット１２の光出力を最大出力に保ちながら、全般照明ユニット１３の光出力を第１減少量だけ低減する。この後、本サブルーチンは終了する。
【００３９】
全般照明ユニット１３の光出力がしきい出力と等しいかそれより低ければ、制御部１０は、ステップ１０２に進み、しきい出力がゼロ出力であるかを決定する。しきい出力がゼロ出力であれば、制御部１０は、ステップ１０３に進み、全般照明ユニット１３の光出力をゼロ出力に保ちながら局所照明ユニット１２の光出力を第２減少量だけ低減する。この後、本サブルーチンは終了する。
【００４０】
しきい出力がゼロ出力でなければ、制御部１０は、ステップ１０４に進み、全般照明ユニット１３の光出力がゼロ出力より大きいかを決定する。全般照明ユニット１３の光出力がゼロ出力より大きければ、制御部１０は、ステップ１０５に進み、局所照明ユニット１２及び全般照明ユニット１３の各光出力を下げる。このとき、局所照明ユニット１２の光出力は第２減少量だけ低減され、全般照明ユニット１３の光出力は第１減少量だけ低減される。この後、本サブルーチンは終了する。
【００４１】
全般照明ユニット１３の光出力がゼロ出力と等しければ、制御部１０は、ステップ１０３に進み、全般照明ユニット１３の光出力をゼロ出力に保ちながら局所照明ユニット１２の光出力を第２減少量だけ低減する。この後、本サブルーチンは終了する。
【００４２】
このように本実施形態では、照明器具１の光出力を下げるための操作入力が調光スイッチ２１から得られたとき、全般照明ユニット１３の光出力がしきい出力より高ければ、局所照明ユニット１２の光出力が最大出力に保持されつつ全般照明ユニット１３の光出力が下げられる。そうでなければ、少なくとも局所照明ユニット１２の光出力が下げられる。これにより、調光スイッチ２１の操作を容易にすることができる。
【００４３】
しかも、調光スイッチ２１のダウンスイッチ２３のみを操作することにより、全般照明ユニット１３及び局所照明ユニット１２の各光出力を低減することができる。
【００４４】
一実施形態において、操作ユニット２は、壁に設置されて、屋内配線を介して照明器具１と電気的に接続される。この場合、送信部２４は、制御部２０の制御下で、種々のコードを電気信号によって送信するように構成される。同様に、受信部１６は、操作ユニット２からの電気信号を受信してコードを取得し、そのコードを制御部１０に供給するように構成される。
【００４５】
また、屋内配線は電力線でもよい。この場合、照明器具１は、受信部１６に代えて電力線通信対応の通信機を有し、操作ユニット２は、送信部２４に代えて、電力線通信対応の通信機を有する。
【００４６】
一実施形態において、調光スイッチ２１は、ボリュームスイッチ（ロータリスイッチ）又はスライドスイッチ等の単一のスイッチであり、異なる調光レベルにそれぞれ設定される複数の接点を持つ。この場合、制御部１０は、局所照明ユニット１２及び全般照明ユニット１３の各光出力を単一のスイッチにおける選択された接点に対応する調光レベルに設定するように構成される。詳しくは、単一のスイッチが調光レベルを下げる方向に操作される度に、照明器具１の光出力は、図３に示すように、右側から左側にシフトする。一方、単一のスイッチが調光レベルを上げる方向に操作される度に、照明器具１の光出力は、図３に示すように、左側から右側にシフトする。
【符号の説明】
【００４７】
１  照明器具
１０  制御部
１１  本体
１２  局所照明ユニット
１３  全般照明ユニット
１４，１５  ドライバ
１６  受信部
２  操作ユニット
２０  制御部
２１  調光スイッチ
２２  アップスイッチ
２３  ダウンスイッチ
２４  送信部
【図１】
2011171071.tif 000003
【図２】
2011171071.tif 000004
【図３】
2011171071.tif 000005
【図５】
2011171071.tif 000006
【図４】
2011171071.tif 000007